(57)【特許請求の範囲】
【請求項１】
外部装置から入力される入力画像をスクリーンに投影表示する投影表示装置であって、
前記入力画像の特徴量を用いて、画像の種類を識別する識別情報を画素ごとに割り当てる割当部と、
前記スクリーンの照度を検出する照度検出部と、
前記識別情報を用いて、前記入力画像のうち、階調数を変換するハーフトーン処理が行われる領域を示す第１対象領域を決定する第１決定部と、
前記照度に応じて異なる前記ハーフトーン処理を、前記第１対象領域に対して実行するハーフトーン処理部と、を備える、
投影表示装置。
【請求項２】
前記第１決定部は、前記入力画像のうち、階調値が閾値以上の画像であるハイライトを示す前記識別情報が割り当てられた画素から構成される領域を前記第１対象領域として決定し、
前記ハーフトーン処理部は、前記照度が基準値以上の場合は、第１ディザ処理を前記第１対象領域に対して実行する一方、前記照度が前記基準値未満の場合は、前記第１ディザ処理に比べて少ないスクリーン線数に設定される第２ディザ処理を前記第１対象領域に対して実行する、
請求項１の投影表示装置。
【請求項３】
前記第１決定部は、前記入力画像のうち、階調値が閾値以上の文字画像である低コントラスト文字を示す前記識別情報が割り当てられた画素から構成される領域を前記第１対象領域として決定し、
前記ハーフトーン処理部は、前記照度が基準値以上の場合は、第１ハーフトーン処理を前記第１対象領域に対して実行する一方、前記照度が前記基準値未満の場合は、第２ハーフトーン処理を前記第１対象領域に対して実行し、
第１ハーフトーン処理によって変換された後の階調数は、前記第２ハーフトーン処理によって変換された後の階調数よりも少ない、
請求項１の投影表示装置。
【請求項４】
画像の入出力特性を補正する階調補正を行う補正部と、
前記識別情報を用いて、前記入力画像のうち前記階調補正が行われる第２対象領域を決定する第２決定部と、を備え、
前記補正部は、前記照度に応じて異なる前記階調補正を、前記第２対象領域に対して実行する、
請求項１から請求項３のうちの何れか１つの投影表示装置。
【請求項５】
前記第２決定部は、前記入力画像のうち、階調値が閾値以上の文字画像である低コントラスト文字を示す前記識別情報が割り当てられた画素から構成される領域を前記第２対象領域として決定し、
前記補正部は、前記照度が基準値以上の場合は、第１階調補正を前記第２対象領域に対して実行する一方、前記照度が前記基準値未満の場合は、前記第１階調補正が行われる場合よりも前記入力画像のうち階調値が所定値以上の明部が暗くなる第２階調補正を前記第２対象領域に対して実行する、
請求項４の投影表示装置。
【請求項６】
読み取った原稿の画像データを前記入力画像として出力する前記外部装置の動作条件を示す書誌情報に応じて、前記ハーフトーン処理部および前記補正部の各々の動作を制御する制御部をさらに備える、
請求項４の投影表示装置。
【請求項７】
前記制御部は、前記書誌情報が、出力対象の画像を写真画像として取り扱う写真モードを示す場合は、前記ハーフトーン処理部および前記補正部を動作させない一方、前記書誌情報が、出力対象の画像を文字画像として取り扱う文字モードを示す場合は、前記ハーフトーン処理部および前記補正部を動作させる、
請求項６の投影表示装置。
【請求項８】
外部装置から入力される入力画像をスクリーンに投影表示する投影表示方法であって、
前記入力画像の特徴量を用いて、画像の種類を識別する識別情報を画素ごとに割り当てる割当ステップと、
前記スクリーンの照度を検出する照度検出ステップと、
前記識別情報を用いて、前記入力画像のうち、階調数を変換するハーフトーン処理が行われる領域を示す対象領域を決定する決定ステップと、
前記照度に応じて異なる前記ハーフトーン処理を、前記対象領域に対して実行するハーフトーン処理ステップと、を備える、
投影表示方法。
【請求項９】
外部装置から入力される入力画像の特徴量を用いて、画像の種類を識別する識別情報を画素ごとに割り当てる割当ステップと、
前記入力画像が投影表示されるスクリーンの照度を検出する照度検出ステップと、
前記識別情報を用いて、前記入力画像のうち、階調数を変換するハーフトーン処理が行われる領域を示す対象領域を決定する決定ステップと、
前記照度に応じて異なる前記ハーフトーン処理を、前記対象領域に対して実行するハーフトーン処理ステップと、をコンピュータに実行させるためのプログラム。
【発明の詳細な説明】
【技術分野】
【０００１】
本発明は、投影表示装置、投影表示方法およびプログラムに関する。
【背景技術】
【０００２】
従来、印刷装置で印刷する画像のプレビュー表示を、プロジェクターなどの投影表示装置で行う技術が知られている。特許文献１には、色の再現性を高める目的で、プロジェクターの投影面の色情報および明るさ情報に基づいて、低階調部（シャドー部）の出力を上げるように、画像データを補正する技術が開示されている。
【発明の概要】
【発明が解決しようとする課題】
【０００３】
しかしながら、特許文献１に開示された技術では、色の再現性を十分に高めることができない。例えば特許文献１に開示された技術では、高階調部（ハイライト部）の再現性を高めることができない。
【０００４】
本発明は、上記に鑑みてなされたものであって、色の再現性を十分に高めることが可能な投影表示装置、投影表示方法およびプログラムを提供することを目的とする。
【課題を解決するための手段】
【０００５】
上述した課題を解決し、目的を達成するために、本発明の投影表示装置は、外部装置から入力される入力画像をスクリーンに投影表示する投影表示装置であって、前記入力画像の特徴量を用いて、画像の種類を識別する識別情報を画素ごとに割り当てる割当部と、前記スクリーンの照度を検出する照度検出部と、前記識別情報を用いて、前記入力画像のうち、階調数を変換するハーフトーン処理が行われる領域を示す第１対象領域を決定する第１決定部と、前記照度に応じて異なる前記ハーフトーン処理を、前記第１対象領域に対して実行するハーフトーン処理部と、を備える。
【０００６】
本発明の投影表示方法は、外部装置から入力される入力画像をスクリーンに投影表示する投影表示方法であって、前記入力画像の特徴量を用いて、画像の種類を識別する識別情報を画素ごとに割り当てる割当ステップと、前記スクリーンの照度を検出する照度検出ステップと、前記識別情報を用いて、前記入力画像のうち、階調数を変換するハーフトーン処理が行われる領域を示す対象領域を決定する決定ステップと、前記照度に応じて異なる前記ハーフトーン処理を、前記対象領域に対して実行するハーフトーン処理ステップと、を備える。
【０００７】
本発明のプログラムは、外部装置から入力される入力画像の特徴量を用いて、画像の種類を識別する識別情報を画素ごとに割り当てる割当ステップと、前記入力画像が投影表示されるスクリーンの照度を検出する照度検出ステップと、前記識別情報を用いて、前記入力画像のうち、階調数を変換するハーフトーン処理が行われる領域を示す対象領域を決定する決定ステップと、前記照度に応じて異なる前記ハーフトーン処理を、前記対象領域に対して実行するハーフトーン処理ステップと、をコンピュータに実行させるためのプログラムである。
【発明の効果】
【０００８】
本発明によれば、色の再現性を十分に高めることが可能な投影表示装置、投影表示方法およびプログラムを提供できるという有利な効果を奏する。
【図面の簡単な説明】
【０００９】
【図１】図１は、情報投影システムの構成例を示すブロック図である。
【図２】図２は、画像処理部の具体的な内容を示す図である。
【図３】図３は、Ｘ分離情報の割り当て方法を説明するための図である。
【図４】図４は、入力画像から、各Ｘ分離情報に対応する領域を抽出する例を説明するための図である。
【図５】図５は、Ｘ分離情報に応じて、γ補正を切り替える方法を説明するための図である。
【図６】図６は、γ補正に用いられるγ補正カーブの一例を示す図である。
【図７】図７は、Ｘ分離情報およびＳ照度情報に応じて、ハーフトーン処理を切り替える方法を説明するための図である。
【図８】図８は、単純９値処理が適用された場合における入力の階調と出力の階調との対応関係の一例を示す図である。
【図９】図９は、単純４値処理が適用された場合における入力の階調と出力の階調との対応関係の一例を示す図である。
【図１０】図１０は、ハイライト領域に対して、高線数２値ディザ処理が適用された場合の模式図である。
【図１１】図１１は、ハイライト領域に対して、低線数２値ディザ処理が適用された場合の模式図である。
【図１２】図１２は、Ｘ分離情報およびＳ照度情報に応じて、γ補正を切り替える方法を説明するための図である。
【図１３】図１３は、γ補正２に用いられるγ補正カーブの一例を示す図である。
【発明を実施するための形態】
【００１０】
以下、添付図面を参照しながら、本発明に係る投影表示装置、投影表示方法およびプログラムの実施の形態を詳細に説明する。以下では、投影表示装置の一例として、プロジェクターを挙げて説明するが、これに限られるものではない。
【００１１】
＜Ａ：第１実施形態＞
図１は、本実施形態の情報投影システム１の概略構成例を示す図である。図１に示すように、情報投影システム１は、プロジェクター１００と、外部装置である複合機（ＭＦＰ）１０１と、を備える。複合機１０１は、読み取った原稿の画像データを入力画像としてプロジェクター１００に出力する。複合機１０１は、スキャナ１０９と、スキャナ画像処理部１１０と、記憶装置１１１と、プロッタ画像処理部１１２と、プロッタ１１３と、操作部１１４とを備える。
【００１２】
スキャナ１０９は、原稿の画像データを読み取る。スキャナ画像処理部１１０は、スキャナ１０９で読み取られた画像データに対して、黒補正、シェーディング補正等のスキャナ補正系の画像処理を行う。操作部１１４は、複合機１０１の動作条件を示す書誌情報の指定入力を受け付ける外部Ｉ／Ｆである。書誌情報としては、例えば原稿モード、画像の解像度、画像の濃さを指定する情報などが挙げられる。
【００１３】
スキャナ画像処理部１１０は、操作部１１４で受け付けた書誌情報に応じた画像処理を、スキャナ１０９で読み取られた画像データに対して行う。記憶装置１１１は、スキャナ画像処理部１１０による画像処理後の画像データ（この例ではＲＧＢ版の画像データ）と、操作部１１４で受け付けた書誌情報を記憶する。プロッタ画像処理部１１２は、記憶装置１１１に記憶された画像データに対して、プロッタ補正系の画像処理を行う。プロッタ１１３は、プロッタ画像処理部１１２による画像処理が行われた画像データを受け取ると、レーザービームを用いた電子写真プロセスを使って、転写紙に受け取った画像データを出力する（紙出力する）。
【００１４】
プロジェクター１００は、画像入力部１０２と、画像処理部１０３と、画像出力部１０４と、照度検出部１０５と、制御部１０６と、操作部１０７とを備える。プロジェクター１００と外部装置である複合機１０１とは、ＬＡＮまたはＵＳＢ等のネットワークで接続される。
【００１５】
画像入力部１０２は、複合機１０１の記憶装置１１１に記憶された画像データ（ＲＧＢ版の画像データ）および書誌情報の取り込みを行う。本実施形態では、一例として、画像入力部１０２によって取り込まれたＲＧＢ版の画像データのそれぞれの１画素の階調は８ビットで表現される。つまり、画像入力部１０２によって取り込まれたＲＧＢ版の画像データの各々は、８ビットの画像データである。以下の説明では、画像入力部１０２によって取り込まれたＲＧＢ各８ビットの画像データを「入力画像」と呼ぶ。
【００１６】
画像処理部１０３は、画像入力部１０２で取り込まれた入力画像に対して、画像投影面（スクリーン）１０８に投影される画像データに補正するための画像処理を行う。画像処理の詳細な内容については後述する。
【００１７】
画像出力部１０４は、画像処理部１０３による画像処理が行われた画像データを画像投影面１０８に投影（出力）する。画像出力部１０４は、水銀ランプやＬＥＤ等の固定型光源からなる光源と、透過型液晶パネルと、投影レンズとを含んで構成される。光源からの光は透過型液晶パネルで三原色（赤・青・緑）に分けられた上で投影レンズによって拡大されて画像投影面１０８に投影される。
【００１８】
照度検出部１０５は、画像投影面１０８の反射光の明るさである照度を入力として取り込み、Ｓ照度情報に変換する。より具体的には、照度検出部１０５は、画像投影面１０８からの反射光を照度として取り込み、例えばフォトダイオードなどにより照度を電圧に変換する。そして、Ａ／Ｄ変換器により、その変換した電圧を、デジタル値（例えば８ビット）に変換してＳ照度情報とする。
【００１９】
操作部１０７は、各種の操作入力を受け付けるユーザーインタフェースである。制御部１０６は、プロジェクター１００を統括的に制御する。制御部１０６は、ＣＰＵ、データの一時記憶に用いられるＲＡＭなどの揮発性メモリ、プログラムや画像処理パラメータが格納されるＲＯＭやＮＶＲＡＭなどの不揮発性メモリなどを含んで構成される。制御部１０６のＣＰＵは、不揮発性メモリなどに格納されたプログラムを読み出し、その読み出したプログラムを揮発性メモリ上で展開実行することで、プロジェクター１００の各部の制御を行う。制御部１０６は、ユーザに指定された内容（書誌情報）に従って、プロジェクター１００の各部（画像入力部１０２、画像処理部１０３、画像出力部１０４、照度検出部１０５等）の制御を行う。
【００２０】
本実施形態の情報投影システム１では、ユーザは、画像投影面１０８に投影された画像データを、複合機１０１の印刷画像のプレビュー画像として確認し、複合機１０１による印刷を実行するかどうかを判断することができる。
【００２１】
次に、図２を参照しながら、プロジェクター１００の画像処理部１０３の具体的な内容を説明する。図２に示すように、画像処理部１０３は、分離部２０１と、階調補正部２０２と、変倍部２０３と、階調処理部２０４とを備える。
【００２２】
分離部２０１は、画像入力部１０２で取り込まれた入力画像の濃度値やエッジ量などの特徴量を算出し、その算出した特徴量を用いて、後の画像処理で用いるためのＸ分離情報を各画素に割り当てる。Ｘ分離情報は、画像の種類を識別する識別情報である。分離部２０１は、請求項の「割当部」に対応する。本実施形態では、図３に示すように、階調値が閾値以上の文字画像を示す「低コントラスト文字（以下、低コン文字と表記）」、階調値が閾値未満の文字画像を示す「文字」、「網点」、階調値が閾値以上の画像を示す「ハイライト」、塗りつぶし画像を示す「ベタ」の５種類がＸ分離情報として用意されており、それぞれ４ビットのデータで表現される。
【００２３】
分離部２０１は、入力画像の各画素について、当該画素が、白背景（該当する場合は、Ｘ分離情報を示す４ビットのデータのうちの最上位のビットは「１」）および非白背景（該当する場合は最上位のビットは「０」）の何れであるか、文字（該当する場合は第２番目の上位ビットは「１」）および非文字（該当する場合は第２番目の上位ビットは「０」）の何れであるか、網点（該当する場合は第３番目の上位ビットは「１」）および非網点（該当する場合は第３番目の上位ビットは「０」）の何れであるか、明部（該当する場合は最下位のビットは「１」）および非明部（該当する場合は最下位のビットは「０」）の何れであるかを判断する。そして、その判断結果から、当該画素が、「低コン文字」、「文字」、「網点」、「ハイライト」および「ベタ」の何れに該当するかを判断し、該当するＸ分離情報を示す４ビットのデータを当該画素に割り当てる。
【００２４】
図３の例では、分離部２０１は、入力画像の各画素について、当該画素が文字であり、かつ、明部である場合は、当該画素は「低コン文字」に該当すると判断し、「低コン文字」を示す４ビットのデータ（「ｘ１ｘ１」、ｘは「０」および「１」の何れでもよい）を当該画素に割り当てる。また、分離部２０１は、当該画素が文字であり、かつ、非明部である場合は、当該画素は「文字」に該当すると判断し、「文字」を示す４ビットのデータ（「ｘ１ｘ０」）を当該画素に割り当てる。また、分離部２０１は、当該画素が非文字であり、かつ、網点である場合は、当該画素は「網点」に該当すると判断し、「網点」を示す４ビットのデータ（「ｘ０１ｘ」）を当該画素に割り当てる。また、分離部２０１は、当該画素が白背景であり、文字であり、かつ、網点である場合は、当該画素は「ハイライト」に該当すると判断し、「ハイライト」を示す４ビットのデータ（「１００ｘ」）を当該画素に割り当てる。さらに、分離部２０１は、当該画素が非白背景であり、非文字であり、かつ、非網点である場合は、当該画素は「ベタ」に該当すると判断し、「ベタ」を示す４ビットのデータ（「０００ｘ」）を当該画素に割り当てる。
【００２５】
以上のようにして、分離部２０１は、入力画像の各画素にＸ分離情報を割り当てる。これにより、図４に示すように、分離部２０１は、入力画像２３１のうち、「低コン文字」を示すＸ分離情報が割り当てられた画素からなる領域を「低コン文字領域２３３」として抽出することができる。同様に、分離部２０１は、入力画像２３１のうち、「文字」を示すＸ分離情報が割り当てられた画素からなる領域を「文字領域２３２」として抽出することができる。また、分離部２０１は、入力画像２３１のうち、「網点」を示すＸ分離情報が割り当てられた画素からなる領域を「網点領域２３４」として抽出することができる。また、分離部２０１は、入力画像２３１のうち、「ハイライト」を示すＸ分離情報が割り当てられた画素からなる領域を「ハイライト領域２３５」として抽出することができる。さらに、分離部２０１は、入力画像２３１のうち、「ベタ」を示すＸ分離情報が割り当てられた画素からなる領域を「ベタ領域２３６」として抽出することができる。
【００２６】
そして、分離部２０１は、入力画像の各画素のＸ分離情報を、階調補正部２０２および階調処理部２０４の各々へ送る。
【００２７】
再び図２に戻って説明を続ける。階調補正部２０２は、第２決定部２０７と、補正部２０８とを有する。第２決定部２０７は、入力画像と、書誌情報と、照度検出部１０５からのＳ照度情報と、分離部２０１からのＸ分離情報とを入力として、入力画像のうち、画像の入出力特性を補正する階調補正（この例ではγ補正）が行われる領域（「第２対象領域」と呼ぶ）を決定する。図５に示すように、本実施形態では、第２決定部２０７は、入力画像のうち、「低コン文字」を示すＸ分離情報が割り当てられた画素からなる領域（低コン文字領域２３３）を、第２対象領域として決定する。
【００２８】
補正部２０８は、第２決定部２０７で決定された第２対象領域に対してγ補正を行う。なお、補正部２０８は、入力画像のうち、低コン文字領域２３３以外の領域に対しては、γ補正を行わずにスルーする。図６は、補正部２０８によるγ補正に用いられるγ補正カーブの一例を示す図である。プロジェクター１００は、画像の明部を再現しにくいという特性があるので、低コン文字領域２３３については、入力画像データの明部がやや暗くなるようなγ補正を適用する。より具体的には、図６に示すように、γ補正カーブは、入力の階調値が閾値ｄ以上の場合における出力の階調値の変化率が、入力の階調値が閾値ｄ未満の場合における出力の階調値の変化率に比べて小さくなるように設定される。
【００２９】
再び図２に戻って説明を続ける。変倍部２０３は、入力画像の解像度を、プロジェクター１００の操作部１０７で受け付けた解像度（ユーザーから指定された解像度）に変倍する。変倍部２０３は、複合機１０１で読み取られた画像の解像度に対し、書誌情報を参照してプロジェクター１００の解像度に合わせるため、主走査方向、副走査方向に畳み込み演算等を行い、縮小あるいは拡大の変倍処理を実行する。
【００３０】
階調処理部２０４は、第１決定部２０５と、ハーフトーン処理部２０６とを有する。第１決定部２０５は、入力画像と、照度検出部１０５からのＳ照度情報と、分離部２０１からのＸ分離情報とを入力として、入力画像のうち、階調数を変換するハーフトーン処理が行われる領域（「第１対象領域」と呼ぶ）を決定する。図７に示すように、本実施形態では、第１決定部２０５は、入力画像のうち、「低コン文字」を示すＸ分離情報が割り当てられた画素からなる領域（低コン文字領域２３３）、および、「ハイライト」を示すＸ分離情報が割り当てられた画素からなる領域（ハイライト領域２３５）を、第１対象領域として決定する。
【００３１】
ハーフトーン処理部２０６は、Ｓ照度情報に応じて異なるハーフトーン処理を、第１対象領域に対して実行する。より具体的には以下のとおりである。まず、低コン文字領域２３３に対して実行されるハーフトーン処理の内容を説明する。ハーフトーン処理部２０６は、Ｓ照度情報が示す照度が基準未満の場合（「暗い」場合）は、低コン文字領域２３３に対して、図８に示されるような単純９値処理を適用する。
【００３２】
一方、ハーフトーン処理部２０６は、Ｓ照度情報が示す照度が基準値以上の場合（「明るい」場合）は、低コン文字領域２３３に対して、図９に示されるような単純４値処理を適用する。Ｓ照度情報が示す照度が基準値以上の場合（「明るい」場合）は、単純９値処理をしても画像の視認性が悪いので、明るい部分をなるべく使用しないようにするために、単純４値処理に切り替えている。これにより、低コン文字の明るい側の欠落が無くなり濃度が均一になるので、プロジェクター１００に表示した場合の視認性が改善される。
【００３３】
なお、本実施形態では、ハーフトーン処理部２０６は、低コン文字領域２３３に対して、Ｓ照度情報が示す照度が基準値以上の場合は単純４値処理を適用する一方、Ｓ照度情報が示す照度が基準未満の場合は単純９値処理を適用しているが、これに限られるものではない。要するに、ハーフトーン処理部２０６は、照度が基準値以上の場合は、第１ハーフトーン処理を低コン文字領域２３３に対して実行する一方、照度が基準値未満の場合は、第２ハーフトーン処理を低コン文字領域２３３に対して実行し、第１ハーフトーン処理によって変換された後の階調数（本実施形態の例では「４」）は、第２ハーフトーン処理によって変換された後の階調数（本実施形態の例では「９」）よりも少ないものであればよい。
【００３４】
次に、ハイライト領域２３５に対して実行されるハーフトーン処理の内容を説明する。ここで、プロジェクター１００は、画像の明部を再現しにくいという特性があり、ハイライト領域２３５に含まれる各画素の階調値をそのまま出力した場合は、白飛びが発生するおそれがある。そこで、本実施形態では、多値画像データが２値化されるディザ処理を、ハイライト領域２３５に対して適用する。これにより、全黒の面積で濃度が表現される（「黒」のドットの粗密で階調が表現される）ので、ハイライトの再現性が改善される。なお、画像投影面１０８の照度が基準値以上の場合（「明るい」場合）は、周囲の環境光の影響を受けにくく、ディザ処理のドットが小さくても、ドットの視認性は悪くならない。このため、画像の解像度等も考慮して、本実施形態のハーフトーン処理部２０６は、Ｓ照度情報が示す照度が基準値以上の場合は、高いスクリーン線数に設定されたディザ処理（高線数２値ディザ処理）をハイライト領域２３５に対して適用する。図１０は、ハイライト領域２３５に対して、高線数２値ディザ処理が適用された場合の模式図である。
【００３５】
一方、Ｓ照度情報が示す照度が基準値未満の場合（「暗い」場合）は、画像投影面１０８の照度が暗いということであり、プロジェクター１００と画像投影面１０８との距離が離れていることを指す。この場合は、周囲の環境光の影響を受け易くなり、プロジェクター１００は画像の明部をより再現しにくくなる。ここで、ディザ処理のドットが小さいと、ドットの視認性は悪くなり、ハイライトが十分に再現できない。このため、ハイライトの再現を優先して、本実施形態のハーフトーン処理部２０６は、Ｓ照度情報が示す照度が基準値未満の場合は、低いスクリーン線数に設定されたディザ処理（低線数２値ディザ処理）をハイライト領域２３５に対して適用する。図１１は、ハイライト領域２３５に対して、低線数２値ディザ処理が適用された場合の模式図である。
【００３６】
なお、本実施形態では、ハーフトーン処理部２０６は、Ｓ照度情報が示す照度が基準値以上の場合は、高線数２値ディザ処理をハイライト領域２３５に対して適用する一方、Ｓ照度情報が示す照度が基準値未満の場合は、低線数２値ディザ処理をハイライト領域２３５に対して適用しているが、これに限られるものではなく、ディザ処理によって変換される階調数やスクリーン線数は任意に設定可能である。要するに、ハーフトーン処理部２０６は、照度が基準値以上の場合は、第１ディザ処理をハイライト領域２３５に対して実行する一方、照度が基準値未満の場合は、第１ディザ処理に比べて少ないスクリーン線数に設定される第２ディザ処理をハイライト領域２３５に対して実行するものであればよい。
【００３７】
以上に説明したように、本実施形態では、Ｓ照度情報が示す照度に応じて異なるハーフトーン処理が第１対象領域に対して実行されることにより、画像投影面１０８に投影される画像の色の再現性を高めることができるという有利な効果を奏する。
【００３８】
＜Ｂ：第２実施形態＞
本実施形態では、補正部２０８は、Ｓ照度情報が示す照度に応じて異なるγ補正を、低コン文字領域２３３に対して実行する点で上述の第１実施形態と相違する。第１実施形態と共通する部分については適宜説明を省略する。
【００３９】
図１２に示すように、補正部２０８は、Ｓ照度情報が示す照度が基準値以上の場合（「明るい」場合）は、低コン文字領域２３３に対してγ補正１を実行する一方、Ｓ照度情報が示す照度が基準値未満の場合（「暗い」場合）は、低コン文字領域２３３に対してγ補正２を実行する。γ補正１では、図６に示すγ補正カーブが用いられる。一方、γ補正２では、図１３に示すγ補正カーブが用いられる。前述したように、Ｓ照度情報が示す照度が基準値未満の場合（「暗い」場合）は、周囲の環境光の影響を受け易くなり、プロジェクター１００は画像の明部をより再現しにくくなる。このため、γ補正１が行われる場合よりも入力画像データの明部が暗くなるγ補正２を、低コン文字領域２３３に対して適用する。より具体的には、図１３に示すように、γ補正２に用いられるγ補正カーブは、入力の階調値が閾値ｄ以上の場合における出力の階調値の変化率が、入力の階調値が閾値ｄ未満の場合における出力の階調値の変化率に比べて小さくなるように設定される。そして、入力の階調値が閾値ｄ以上の場合における出力の階調値の変化率が、γ補正１に用いられるγ補正カーブ（図６参照）に比べて小さくなるように設定される。
【００４０】
なお、上述の各実施形態において、制御部１０６は、上述の書誌情報に応じて、階調補正部２０２および階調処理部２０４の各々を動作させる。より具体的には、制御部１０６は、書誌情報が、出力対象の画像を写真画像として取り扱う写真モードを示す場合は、階調補正部２０２および階調処理部２０４の各々を動作させない。つまり、プロジェクター１００側では何も処理を行わない。一方、制御部１０６は、書誌情報が、出力対象の画像を文字画像として取り扱う文字モードを示す場合は、上述の第１実施形態または第２実施形態で説明した動作を行うように、階調補正部２０２および階調処理部２０４を制御する。ここでは、複合機１０１の画質モードに応じてプロジェクター１００での処理が分かれるように、複合機１０１とプロジェクター１００とが連携するので、スキャン画像をそのまま写せ、プロジェクター１００の設定の手間が省ける。
【００４１】
以上、本発明の実施形態について説明したが、本発明は上述の各実施形態に限定されるものではなく、本発明の要旨を逸脱しない範囲内で種々の変形が可能である。
【００４２】
なお、上述の各実施形態の制御部１０６で実行される制御プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００４３】
さらに、上述の各実施形態の制御部１０６で実行される制御プログラムを、インターネット等のネットワークに接続されたコンピュータ上に格納し、ネットワーク経由でダウンロードさせることにより提供するように構成してもよい。また、上述の各実施形態の制御部１０６で実行される制御プログラムをインターネット等のネットワーク経由で提供または配布するように構成してもよい。
【符号の説明】
【００４４】
１  情報投影システム
１００  プロジェクター
１０１  複合機
１０２  画像入力部
１０３  画像処理部
１０４  画像出力部
１０５  照度検出部
１０６  制御部
１０７  操作部
１０８  画像投影面
１０９  スキャナ
１１０  スキャナ画像処理部
１１１  記憶装置
１１２  プロッタ画像処理部
１１３  プロッタ
１１４  操作部
２０１  分離部
２０２  階調補正部
２０３  変倍部
２０４  階調処理部
２０５  第１決定部
２０６  ハーフトーン処理部
２０７  第２決定部
２０８  補正部
２３１  入力画像
２３２  文字領域
２３３  低コン文字領域
２３４  網点領域
２３５  ハイライト領域
２３６  ベタ領域
【先行技術文献】
【特許文献】
【００４５】
【特許文献１】特開２００６−３０４３１６号公報
【図１】
0005862304.tif 000002
【図２】
0005862304.tif 000003
【図３】
0005862304.tif 000004
【図４】
0005862304.tif 000005
【図５】
0005862304.tif 000006
【図６】
0005862304.tif 000007
【図７】
0005862304.tif 000008
【図８】
0005862304.tif 000009
【図９】
0005862304.tif 000010
【図１０】
0005862304.tif 000011
【図１１】
0005862304.tif 000012
【図１２】
0005862304.tif 000013
【図１３】
0005862304.tif 000014